(57)【要約】      （修正有）【課題】持ち運び等に適しており、使用時・携帯時の組み立てや収納などの手間を省くことができる簡易椅子を提供する。【解決手段】簡易椅子１０は、長方形の天板１２と、その対辺１４Ａ，１４Ｂで折り曲げられる第１の側面板３０と、第１の側面板に連続形成された第２の側面板５６により構成される。第２の側面板は、側端３２Ａ，３２Ｂ，５２Ａと、第４の折り曲げ部４２で折り曲げられる。折り曲げ片４４，６４が接着され、側面補強部４８，６８を形成し、天板１２の裏面を受ける。天板には開口部２０Ａ，２０Ｂが設けられ、持ち運び時には開口部を持って天板中央部が折り畳まれた状態で運び、使用時には置いて座るだけで簡易椅子１０が開き使用できる。【選択図】図１
0003205058.tif 000002
【実用新案登録請求の範囲】
【請求項１】
一対の第１の対辺と一対の第２の対辺が直角に交わる略方形状の天板と、
該天板の中央部に前記一対の第１の対辺と平行に形成された第１の折り曲げ部と、
前記天板と連続しており、前記一対の第１の対辺を第２の折り曲げ部として、前記天板に対して折り曲げ可能な一対の第１の側面板と、
該一対の第１の側面板の両側端と連続した第２の側面板と、
前記一対の第１の側面板と前記第２の側面板の境であって、前記一対の第２の対辺の延長線上に形成された第３の折り曲げ部と、
前記第２の側面板の側端と、前記第３の折り曲げ部の間に形成されており、該第３の折り曲げ部と平行に、かつ、逆方向に折り曲げられる第４の折り曲げ部と、
前記第２の側面板の側端と前記第４の折り曲げ部の間に形成される側面用折り曲げ片を、前記天板を挟んで対向する他の側面用折り曲げ片と接着した側面補強部と、
を有しており、
全体が段ボールで形成されたことを特徴とする簡易椅子。
【請求項２】
前記天板と連続しており、前記一対の第２の対辺を第５の折り曲げ部として、前記天板に対して折り曲げ可能な天板用折り曲げ片が、前記天板の裏面に接着された天板補強部，
を有することを特徴とする請求項１記載の簡易椅子。
【請求項３】
前記一対の第１の側面板に連続しており、該第１の側面板の下端部を第６の折り曲げ部として、前記第１の側面板に対して折り曲げ可能な底面用折り曲げ片が、前記第１の側面板の裏面に接着された底面補強部、
を有することを特徴とする請求項１又は２記載の簡易椅子。
【請求項４】
前記天板の前記第１の折り曲げ部の両側に形成された把持用の開口部、
を有することを特徴とする請求項１〜３のいずれか一項に記載の簡易椅子。
【考案の詳細な説明】
【技術分野】
【０００１】
本考案は、持ち運び等に適した簡易椅子に関するものである。
【背景技術】
【０００２】
持運び可能な携帯用の簡易な椅子としては、例えば、下記特許文献１に示す段ボールの簡易椅子がある。当該特許文献１には、段ボールを素材とした簡易椅子で、座面の端が強くなるように三角形を四隅に設けて、その内側に日の字形に折り曲げた脚板を差し込むことで椅子ができあがることが開示されている。携帯時には、脚板を引き抜きアコーデオン折りにして抜いたところに入れてゴムバンドで挟んで紛失を防ぐこととなっている。また、下記特許文献２に示す組立式簡易椅子は、互いに台座板の内面が向き合うようにＮ字状に折り畳まれたブランクシートを起こして、第２壁板と第３壁板の境界の折り曲げ線と、第５壁板と第６壁板の境界の折り曲げ線とを接触させることにより生じた二つの三角柱筒の上面に、横方向の折り曲げ線に沿って折り曲げた台座板を被せるとともに、台座板に連接された差し込み片に設けられた差し込み片スリットを壁板スリットに差し込み係合させるものである。
【先行技術文献】
【特許文献】
【０００３】
【特許文献１】特開２００６−１１６２８１号公報
【特許文献２】特開２００６−１９８２８９号公報
【考案の概要】
【考案が解決しようとする課題】
【０００４】
しかしながら、上述した特許文献１に記載の技術では、使用時には脚板を差し込むという組立て作業が必要である。また、携帯時には、前記脚板を引き抜き、ゴムバンドで挟むという手間がかかる。他方、前記特許文献２に記載の技術では、シート一枚からなるため、ゴムバンドで複数の部材を挟む必要はないが、使用時には、折り曲げ線に沿って折り曲げ、差し込み片とスリットを係合させるという組立ての手間が掛かる。また、持ち運びの際には、係合を解いて折り畳むという手間がかかる。
【０００５】
本考案は、以上のような点に着目したもので、持運び等に適しており、使用時・携帯時に組立てや折り畳みなどの手間を省くことができる簡易椅子を提供することを、その目的とする。
【課題を解決するための手段】
【０００６】
本考案は、一対の第１の対辺と一対の第２の対辺が直角に交わる略方形状の天板と、該天板の中央部に前記一対の第１の対辺と平行に形成された第１の折り曲げ部と、前記天板と連続しており、前記一対の第１の対辺を第２の折り曲げ部として、前記天板に対して折り曲げ可能な一対の第１の側面板と、該一対の第１の側面板の両側端と連続した第２の側面板と、前記一対の第１の側面板と前記第２の側面板の境であって、前記一対の第２の対辺の延長線上に形成された第３の折り曲げ部と、前記第２の側面板の側端と、前記第３の折り曲げ部の間に形成されており、該第３の折り曲げ部と平行に、かつ、逆方向に折り曲げられる第４の折り曲げ部と、前記第２の側面板の側端と前記第４の折り曲げ部の間に形成される側面用折り曲げ片を、前記天板を挟んで対向する他の側面用折り曲げ片と接着した側面補強部と、を有しており、全体が段ボールで形成されたことを特徴とする。
【０００７】
主要な形態の一つは、前記天板と連続しており、前記一対の第２の対辺を第５の折り曲げ部として、前記天板に対して折り曲げ可能な天板用折り曲げ片が、前記天板の裏面に接着された天板補強部，を有することを特徴とする。他の形態の一つは、前記一対の第１の側面板に連続しており、該第１の側面板の下端部を第６の折り曲げ部として、前記第１の側面板に対して折り曲げ可能な底面用折り曲げ片が、前記第１の側面板の裏面に接着された底面補強部、を有することを特徴とする。更に他の形態の一つは、前記天板の前記第１の折り曲げ部の両側に形成された把持用の開口部、を有することを特徴とする。本考案の前記及び他の目的，特徴，利点は、以下の詳細な説明及び添付図面から明瞭になろう。
【考案の効果】
【０００８】
本考案によれば、一対の第１の対辺と一対の第２の対辺が直角に交わる略方形状の天板と、該天板の中央部に前記一対の第１の対辺と平行に形成された第１の折り曲げ部と、前記天板と連続しており、前記一対の第１の対辺を第２の折り曲げ部として、前記天板に対して折り曲げ可能な一対の第１の側面板と、該一対の第１の側面板の両側端と連続した第２の側面板と、前記一対の第１の側面板と前記第２の側面板の境であって、前記一対の第２の対辺の延長線上に形成された第３の折り曲げ部と、前記第２の側面板の側端と、前記第３の折り曲げ部の間に形成されており、該第３の折り曲げ部と平行に、かつ、逆方向に折り曲げられる第４の折り曲げ部と、前記第２の側面板の側端と前記第４の折り曲げ部の間に形成される側面用折り曲げ片を、前記天板を挟んで対向する他の側面用折り曲げ片と接着した側面補強部と、を有しており、全体を段ボールで形成することとした。
【０００９】
このため、段ボールシートを予め所定の位置で折り、補強用の折り曲げ片を接着しておくことで、使用時には置いて座るだけで椅子として利用でき、持ち運び時には折り畳まれたコンパクトな状態とすることができるため、利便性が高い携帯用の簡易椅子が得られる。
【図面の簡単な説明】
【００１０】
【図１】本発明の実施例１の簡易椅子を椅子として使用している状態を示す図である。
【図２】前記実施例１の簡易椅子の折り畳み及び携帯の様子を示す図である。
【図３】前記実施例１の簡易椅子を底面側から見た外観斜視図である。
【図４】前記実施例１の簡易椅子を構成する段ボールシートの展開図である。
【図５】前記実施例１の簡易椅子の組立て手順の一例を示す図である。
【考案を実施するための形態】
【００１１】
以下、本考案を実施するための最良の形態を、実施例に基づいて詳細に説明する。
【実施例１】
【００１２】
最初に、図１〜図５を参照しながら本考案の実施例１を説明する。本考案の簡易椅子は、野球観戦やお花見などに携帯するのに適した簡易な構造の椅子であって、全体が段ボールで構成されており、携帯時にはかさばらず、使用時には置くだけで利用できるものである。図１は、本実施例の簡易椅子を椅子として使用している状態を示す図である。図２は、本実施例の簡易椅子の折り畳み及び携帯の様子を示す図である。図３は、本実施例の簡易椅子を底面側から見た外観斜視図である。図４は、本実施例の簡易椅子を構成する段ボールシートの展開図である。図５は、本実施例の簡易椅子の組立て手順の一例を示す図である。
【００１３】
図１〜図３に示すように、本実施例の簡易椅子１０は、座面となる天板１２と、一対の第１の側面板３０，５０と、複数の第２の側面板３６，３８，５６，５８と、側面補強部４８，６８により構成されている。また、本実施例では、椅子として使用するときの強度を更に高めるため、前記天板１２にも天板補強部７６Ａ，７６Ｂ，７８Ａ，７８Ｂが設けられ、椅子として使用する際の底面側にも、底面補強部８４，８８が設けられている。
【００１４】
前記天板１２は、一対の第１の対辺１４Ａ，１４Ｂと、一対の第２の対辺１６Ａ，１６Ｂが直角に交わる略長方形に形成されている。前記天板１２の中央部には、前記一対の第１の対辺１４Ａ，１４Ｂと平行に、一対の第１の折り曲げ部１８Ａ，１８Ｂが形成されている。該第１の折り曲げ部１８Ａ，１８Ｂは、所定の間隔をおいて平行に形成されている。これは、簡易椅子１０を折り畳んだときの段ボールの厚みを考慮したものである。また、前記天板１２には、前記第１の折り曲げ部１８Ａ，１８Ｂの両側に、把持用の開口部２０Ａ，２０Ｂが設けられている。
【００１５】
前記天板１２には、前記一対の第１の対辺１４Ａ，１４Ｂを第２の折り曲げ部として、前記天板１２に対して折り曲げ可能な一対の第１の側面板３０，５０が連続形成されている。これら第１の側面板３０，５０は、図示の例では長方形であって、前記一対の第１の側面板３０，５０の両端側には、それぞれ第２の側面板３６，３８，５６，５８が連続形成されている。具体的には、一方の第１の側面板３０の両側端３２Ａ，３２Ｂに、第２の側面板３６，３８が連続形成され、他方の第１の側面板５０の両側端５２Ａ，５２Ｂに、第２の側面板５６，５８が連続形成されている（図４参照）。
【００１６】
前記第１の側面板と第２の側面板の境であって、前記一対の第２の対辺１６Ａ，１６Ｂを延長した線上には、第３の折り曲げ部が形成されている。すなわち、第１の側面板３０の両側端３２Ａ，３２Ｂと、第１の側面板５０の両側端５２Ａ，５２Ｂが第３の折り曲げ部となる。そして、前記第２の側面板３６，３８，５６，５８の側端３６Ａ，３８Ａ，５６Ａ，５８Ａと、前記第１の側面板３０，５０の側端３２Ａ，３２Ｂ，５２Ａ，５２Ｂの間には、これらの側端と平行であって、かつ、前記側端３２Ａ，３２Ｂ，５２Ａ，５２Ｂと逆方向に折り曲げられる第４の折り曲げ部４０，４２，６０，６２が形成されている。
【００１７】
そして、前記第２の側面板３６，３８，５６，５８を前記第４の折り曲げ部４０，４２，６０，６２に沿って折り曲げることで形成される折り曲げ片４４，４６，６４，６６を、前記天板１２を挟んで対向する他の折り曲げ片と接着することで、側面補強部４８，６８が形成される。具体的には、折り曲げ片４４と折り曲げ片６４を接着することで側面補強部４８が形成され、折り曲げ片４６と折り曲げ片６６を接着することで側面補強部６８が形成される。
【００１８】
また、本実施例では、天板１２にも補強部が設けられている。図３及び図４に示すように、前記天板１２の一対の第２の対辺１６Ａ，１６Ｂに、該一対の対辺１６Ａ，１６Ｂを第５の折り曲げ部として折り曲げ可能な天板用折り曲げ片７０Ａ，７０Ｂ，７２Ａ，７２Ｂを連続形成し、これらを天板１２の裏面１２Ｂに接着することで、天板補強部７６Ａ，７６Ｂ，７８Ａ，７８Ｂが形成される。
【００１９】
更に、本実施例では、簡易椅子１０を椅子として使用するときの底面側にも、底面補強部が設けられている。図３及び図４に示すように、前記一対の第１の側面板３０，５０の下端３４，５４に、該下端３４，５４を第６の折り曲げ部として折り曲げ可能な底面側折り曲げ片８０，８２が連続形成されている。そして、これら底面側折り曲げ片８０，８２を第１の側面板３０，５０の内側に接着することで、底面補強部８４，８６が形成される。以上の各部は、図４に示すように、一枚の段ボールシート１００の折り曲げ・接着により形成される。
【００２０】
次に、図４及び図５も参照して、本実施例の簡易椅子１０の組み立て手順を説明する。最初に、図４に示すように、天板１２，第１の側面板３０，５０と、第２の側面板３６，３８，５６，５８と、天板用折り曲げ片７０Ａ，７０Ｂ，７２Ａ，７２Ｂと、底面用折り曲げ片８０，８２が連続した段ボールシート１００を用意する。該段ボールシート１００の適宜部分には、折り曲げ部となる第１の対辺１４Ａ，１４Ｂ（第２の折り曲げ部）と、第１の折り曲げ部１８Ａ，１８Ｂと、第２の対辺１６Ａ，１６Ｂ（第５の折り曲げ部）と、側端（第３の折り曲げ部）３２Ａ，３２Ｂ，５２Ａ，５２Ｂと、第４の折り曲げ部４０，４２，６０，６２と、第６の折り曲げ部となる下端３４，５４に相当する位置に、折り目入り加工等により、折り目線が形成される。
【００２１】
前記天板１２には、前記第１の折り曲げ部１８Ａ，１８Ｂの両側に開口部２０Ａ，２０Ｂを形成する。また、天板用折り曲げ片７０Ａ，７０Ｂ，７２Ａ，７２Ｂの端には、折り返したときに前記開口部２０Ａ，２０Ｂを塞がないように、前記開口部２０Ａ，２０Ｂを中央で２等分したときと同形状の切欠き７４が形成されている。
【００２２】
そして、まず図５(A)に示すように、天板用折り曲げ片７０Ａ，７０Ｂを第２の対辺１６Ａ，１６Ｂ（第５の折り曲げ部）に沿って天板１２の裏面１２Ｂ側に折り返し、該裏面１２Ｂと接着して天板補強部７６Ａ，７６Ｂを形成する。反対側も同様に、天板用折り曲げ片７２Ａ，７２Ｂを、第２の対辺１６Ａ，１６Ｂ（第５の折り曲げ部）に沿って天板裏面１２Ｂ側に折り返し、該裏面１２Ｂと接着等により接着して天板補強部７８Ａ，７８Ｂを形成する。このとき、前記天板用折り曲げ片７０Ａ，７０Ｂ，７２Ａ，７２Ｂの端部には切欠き７４が設けられているため、前記開口部２０Ａ，２０Ｂを塞ぐことがない。また、図５(A)に示すように、底面側折り曲げ片８０，８２を、第１の側面板３０，５０の下端３４，５４（第６の折り曲げ部）に沿って、第１の側面板３０，５０の裏側に折り返して接着し、底面補強部８４，８６を形成する。
【００２３】
次に、図５(B)に示すように、第２の側面板３６，３８，５６，５８を、第３の折り曲げ部である側端３２Ａ，３２Ｂ，５２Ａ，５２Ｂに沿って、第１の側面板３０，５０の裏面側に折り曲げる。そして、前記第２の側面板３６，３８，５６，５８を、第４の折り曲げ部４０，４２，６０，６２に沿って、前記第３の折り曲げ部と逆方向に折り曲げ、側面用折り曲げ片４４，４６，６４，６６を形成する。
【００２４】
そして、図５(C)に示すように、前記第１の側面板３０，５０を、第１の折り曲げ部１８Ａ，１８Ｂに沿って折り曲げ、前記天板１２を挟んで対向する側面用折り曲げ片同士を接着する。具体的には、第１の側面板３０側の側面用折り曲げ片４４と、第２の側面板５０側の側面用折り曲げ片６４を接着し、第１の側面板３０側の側面用折り曲げ片４６と、第２の側面板５０側の側面用折り曲げ片６６を接着する。これにより、図５(D)に示すように、側面補強部４８，６８が形成される。最後に、図５(E)に示すように、第１の対辺１４Ａ，１４Ｂ（第２の折り曲げ部）に沿って折り癖をつけると、簡易椅子１０が完成する。
【００２５】
以上のようにして形成された簡易椅子１０は、図２(B)及び(C)に示すように、前記開口部２０Ａ，２０Ｂを合わせて持てば、折り畳まれたコンパクトな状態で持ち運ぶことができる。また、椅子として使用する際には、図２(A)に示す状態で使用場所におき、図１(B)に示すように使用者９０が天板１２に座るだけで、第１の折り曲げ部１８Ａ，１８Ｂで折り曲げられた状態から、使用者９０の重さによって天板１２が平らに開くため、特に組み立て作業を要することなく、椅子としてすぐに使用することができる。
【００２６】
使用が済んで立ち上がると、図２(A)に示す状態となるため、前記開口部２０Ａ，２０Ｂを合わせて持ち運べばよい。以上のような簡易椅子１０は、内側に入り込んだ第２の側面板３６，３８，５６，５８と、側面補強部４８，６８により天板１２の裏面１２Ｂを受けるため、強度が高く丈夫である。また、天板１２の裏面に天板補強部７６Ａ，７６Ｂ，７８Ａ，７８Ｂを設けるとともに、底面側にも、底面補強部８４，８６を設けているため、より強度が増し、繰り返しの使用にも耐えられる。
【００２７】
このように、実施例１によれば、次のような効果がある。
(1)段ボールシート１００を、予め所定の位置で折り、補強用の折り曲げ片を接着しておくことで、使用時には置いて座るだけで椅子として利用でき、持ち運び時には折り畳まれたコンパクトな状態とすることができる。このため、使用時・携帯時の組み立てや収納作業などの手間を省くことができ、携帯用の椅子として利便性が高い。
(2)第２の側面板３６，３８，５６，５８を、内側に折り曲げるとともに、その端を逆側に折り曲げて接着し側面補強部４８，６８を設けたので、天板１２の裏面を複数個所で受けることができ使用時の強度が高い。
(3)天板１２の裏面に、天板用折り曲げ片７０Ａ，７０Ｂ，７２Ａ，７２Ｂを折り曲げて接着したので、天板１２自体の強度を増すことができる。
(4)第１の側面板３０，５０の下端３４，５４に沿って、底面側折り曲げ片８０，８２を折り曲げ、前記第１の側面板３０，５０の裏面に接着することで、使用時の底面側を２重構造としたので、底面側の強度を増すことができる。
(5)天板１２に、開口部２０Ａ，２０Ｂを設けることとしたので、持ち運び時の把持部として使用できる。
【００２８】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例では、簡易椅子１０を段ボールシート１００から形成することとしたが、段ボールとしては公知の各種のものが利用可能である。
(3)前記実施例で示した側面補強部４８，６８、天板補強部７６Ａ，７６Ｂ，７８Ａ，７８Ｂや、底面補強部８４，８６も一例であり、折り曲げ片の寸法や接着方法は、同様の作用を奏する範囲内で適宜変更可能である。
(4)本考案の簡易椅子は、野球観戦や花見など、屋外で使用する携帯用の椅子としての利用が好適であるが、屋内やその他の場所で広く利用可能である。
【産業上の利用可能性】
【００２９】
本考案によれば、一対の第１の対辺と一対の第２の対辺が直角に交わる略方形状の天板と、該天板の中央部に前記一対の第１の対辺と平行に形成された第１の折り曲げ部と、前記天板と連続しており、前記一対の第１の対辺を第２の折り曲げ部として、前記天板に対して折り曲げ可能な一対の第１の側面板と、該一対の第１の側面板の両側端と連続した第２の側面板と、前記一対の第１の側面板と前記第２の側面板の境であって、前記一対の第２の対辺の延長線上に形成された第３の折り曲げ部と、前記第２の側面板の側端と、前記第３の折り曲げ部の間に形成されており、該第３の折り曲げ部と平行に、かつ、逆方向に折り曲げられる第４の折り曲げ部と、前記第２の側面板の側端と前記第４の折り曲げ部の間に形成される側面用折り曲げ片を、前記天板を挟んで対向する他の側面用折り曲げ片と接着した側面補強部と、を有しており、全体を段ボールで形成することとした。
【００３０】
このため、段ボールシートを予め所定の位置で折り、補強用の折り曲げ片を接着しておくことで、使用時には置いて座るだけで椅子として利用でき、持ち運び時には折り畳まれたコンパクトな状態とすることができるため、利便性が高く、簡易椅子の用途に適用できる。特に、野球観戦や花見等で用いる携帯用の簡易椅子の用途に好適である。
【符号の説明】
【００３１】
１０：簡易椅子
１２：天板
１２Ａ：表面
１２Ｂ：裏面
１４Ａ，１４Ｂ：第１の対辺（第２の折り曲げ部）
１６Ａ，１６Ｂ：第２の対辺（第５の折り曲げ部）
１８Ａ，１８Ｂ：第１の折り曲げ部
２０Ａ，２０Ｂ：開口部
３０，５０：第１の側面板
３２Ａ，３２Ｂ，５２Ａ，５２Ｂ：側端（第３の折り曲げ部）
３４，５４：下端（第６の折り曲げ部）
３６，３８，５６，５８：第２の側面板
３６Ａ，３８Ａ，５６Ａ，５８Ａ：側端
４０，４２，６０，６２：第４の折り曲げ部
４４，４６，６４，６６：折り曲げ片
４８，６８：側面補強部
７０Ａ，７０Ｂ，７２Ａ，７２Ｂ：折り曲げ片
７４：切欠き
７６Ａ，７６Ｂ，７８Ａ，７８Ｂ：天板補強部
８０，８２：折り曲げ片
８４，８６：底面補強部
９０：使用者
１００：段ボールシート
【図１】
0003205058.tif 000003
【図２】
0003205058.tif 000004
【図３】
0003205058.tif 000005
【図４】
0003205058.tif 000006
【図５】
0003205058.tif 000007